(57)【要約】【課題】  簡易な構成によってカードにおける転写画像の欠けやバリを防止する中間転写型熱転写印刷装置を提供すること。【解決手段】  中間転写型熱転写印刷装置１は、フィルムＦに画像が熱転写され、このフィルムＦを、ヒートローラ２４で加熱させながらカードＳに押圧することによって、カードＳの表面にフィルムＦ上の画像を再転写する中間転写型熱転写印刷装置において、フィルムＦが周面の一部に巻き付けられた状態でフィルムＦを搬送するプラテンローラ２１と、プラテンローラ２１に連結されたステッピングモータＭ３と、ヒートローラ２４とプラテンローラ２１との間におけるフィルム搬送ラインＬ２の外側に配置された剥離ピン３０と、カードＳの供給側とカードＳの再転写位置２６との間のカード搬送ラインＬ１上に配置されたフィードローラ１２，２７と、フィードローラ１２，２７に連結されたステッピングモータＭ１，Ｍ２とを備える。【選択図】  図１
2006225154.tif 000002
【特許請求の範囲】
【請求項１】
インクリボン上の配色に基づいてフィルムに画像が熱転写され、このフィルムを、ヒートローラで加熱させながら記録媒体に押圧することによって、前記記録媒体の表面にフィルム上の画像を再転写する中間転写型熱転写印刷装置において、
前記フィルムが周面の一部に巻き付けられた状態で前記フィルムを搬送するプラテンローラと、
前記プラテンローラに連結されたフィルム搬送用モータと、
前記ヒートローラと前記プラテンローラとの間におけるフィルム搬送ラインの外側に配置された剥離ピンと、
前記記録媒体の供給側と前記記録媒体の再転写位置との間の媒体搬送ライン上に配置されたフィードローラと、
前記フィードローラに連結された媒体搬送用モータと、
前記媒体搬送用モータを正転させて前記記録媒体に画像を再転写させた後、前記媒体搬送用モータを逆転させ、前記媒体搬送用モータの逆転時に、前記フィルムが前記剥離ピンから前記プラテンローラに向けて搬送されるように前記フィルム搬送用モータを回転させるモータ制御手段と、
を備えたことを特徴とする中間転写型熱転写印刷装置。
【請求項２】
前記モータ制御手段は、前記記録媒体に画像が完全に再転写されるまで前記媒体搬送用モータを正転させ続けることを特徴とする請求項１記載の中間転写型熱転写印刷装置。
【発明の詳細な説明】
【技術分野】
【０００１】
本発明は、画像をフィルム上に一旦転写した後、フィルム上の画像を記録媒体の表面に再転写するための中間転写型熱転写印刷装置に関するものである。
【背景技術】
【０００２】
従来、このような分野の技術として、特開平５−２６１９５２号公報がある。この公報に記載された熱転写印刷装置は、磁気ストライプ付きのカード、ＩＣカードなどのカード状記録媒体の表面に所望の画像を印刷するための装置である。すなわち、この熱転写印刷装置は、透明材リボン（透明フィルム）及びカラーインクリボンをサーマルヘッドと送りローラ（プラテンローラ）とで挟み込んで、カラーインクリボンによって透明フィルム上に画像を一旦熱転写（一次転写）し、その後、透明フィルム上の画像とカードの表面とを重ね合わせながら、加熱ローラで透明フィルムを加熱させている。このとき、透明フィルムをカードに押圧することによって、カードの表面に透明フィルム上の画像が再転写（二次転写）される。
【特許文献１】特開平５−２６１９５２号公報
【発明の開示】
【発明が解決しようとする課題】
【０００３】
このような熱転写印刷装置においては、透明フィルムからカードに画像を再転写した後、カードから透明フィルムを剥離させる必要がある。この際には、カードを十分に冷却してから剥離を行わないと、カードに再転写された画像の欠けやカードの端部における画像のバリの発生の原因となる。特に、近年ではカードの材料がポリ塩化ビニル（ＰＶＣ）からポリエチレンテレフタレート（ＰＥＴ）まで多様化し、特にフィルムに接着層が設けられている場合には、フィルム剥離時のカードの冷却は必要不可欠となっている。
【０００４】
このようにフィルム剥離前にカードの冷却を行うための手段としては、再転写後のカードの搬送路を長くとったり、カードの搬送路近傍に冷却装置を設置したりすることが考えられるが、それでは装置構成の複雑化を招来する。
【０００５】
そこで、本発明はかかる課題に鑑みて為されたものであり、簡易な構成によってカードにおける転写画像の欠けやバリを防止するようにした中間転写型熱転写印刷装置を提供することを目的とする。
【課題を解決するための手段】
【０００６】
上記課題を解決するため、本発明の中間転写型熱転写印刷装置は、インクリボン上の配色に基づいてフィルムに画像が熱転写され、このフィルムを、ヒートローラで加熱させながら記録媒体に押圧することによって、記録媒体の表面にフィルム上の画像を再転写する中間転写型熱転写印刷装置において、フィルムが周面の一部に巻き付けられた状態でフィルムを搬送するプラテンローラと、プラテンローラに連結されたフィルム搬送用モータと、ヒートローラとプラテンローラとの間におけるフィルム搬送ラインの外側に配置された剥離ピンと、記録媒体の供給側と記録媒体の再転写位置との間の媒体搬送ライン上に配置されたフィードローラと、フィードローラに連結された媒体搬送用モータと、媒体搬送用モータを正転させて記録媒体に画像を再転写させた後、媒体搬送用モータを逆転させ、媒体搬送用モータの逆転時に、フィルムが剥離ピンからプラテンローラに向けて搬送されるようにフィルム搬送用モータを回転させるモータ制御手段とを備えたことを特徴とする。
【０００７】
このような中間転写型熱転写印刷装置によれば、フィルム搬送用モータの回転によりプラテンローラが駆動され、フィルムは、そのプラテンローラの周面に一部が巻き付けられた状態で搬送される。さらに、媒体搬送用モータの回転によりフィードローラが駆動されて、記録媒体は、媒体搬送ライン上で搬送される。この場合、モータ制御手段によって、媒体搬送用モータを正転させ、記録媒体を再転写位置に向けて前進させながらフィルム上の画像を記録媒体に再転写する。その後、モータ制御手段によって、媒体搬送用モータを逆転させ、記録媒体を後退させる際に、フィルム搬送用モータを回転させる。このとき、フィルム搬送ラインの外側に設けられた剥離ピンからプラテンローラに向けてフィルムが巻き戻されるので、記録媒体の後端からフィルムを引き剥がすことができる。このように、記録媒体は、画像再転写時に前進し、フィルムの剥離時に後退するので、画像再転写後からフィルムの剥離までの記録媒体の搬送距離が長くなり、このことは、記録媒体の移動に伴う冷却時間を長くする効果をもたらす。それによって、記録媒体の十分な冷却が確保され、フィルム剥離時における転写画像の欠けやバリを防止する。従って、媒体搬送ライン上での記録媒体の前進と後退とを利用しているので、簡易な構成によって欠けやバリの無い画像印刷を実現することができる。
【０００８】
また、モータ制御手段は、記録媒体に画像を完全に再転写させるまで媒体搬送用モータを正転させ、その後媒体搬送用モータを逆転させ、媒体搬送用モータの逆転時に、フィルムが剥離ピンからプラテンローラに向けて搬送されるようにフィルム搬送用モータを回転させることが好ましい。かかるモータ制御手段を備えると、記録媒体の１回の往復運動で再転写及びフィルム剥離が完了するので、記録媒体毎の処理を効率的に実施できる。特に、記録媒体両面への転写処理を行う必要がある場合には記録媒体の搬送ライン上の往復運動が必須となるので有利である。
【発明の効果】
【０００９】
本発明の中間転写型熱転写印刷装置によれば、簡易な構成によってカードにおける転写画像の欠けやバリを防止することができる。
【発明を実施するための最良の形態】
【００１０】
以下、図面を参照しつつ本発明に係る中間転写型熱転写印刷装置の好適な実施形態について詳細に説明する。
【００１１】
図１に示すように、中間転写型熱転写印刷装置１は、カードプリンタとも呼ばれ、印刷画像を厚さ約２０μｍ程度の透明なフィルムＦに一旦転写した後、このフィルムＦから記録媒体（例えばプラスチック製のキャッシュカード、クレジットカード、プリペードカード、ＩＣカードなど）Ｓに再転写する装置である。このような熱転写印刷装置１は、カードＳを発行する際に利用され、高品位な画像をカードＳの表面に印刷することができる。従って、セキュリティを高める目的で顔写真の入ったカードＳの発行をも可能にする。
【００１２】
このような中間転写型熱転写印刷装置１は、画像再転写前のプラスチック製カードＳを積層状態で着脱可能にセッティングするためのカードカセット２を有する。カードＳは、送出し爪３の進退運動によってカードカセット２の一番下から一枚ずつ繰り出され、カードカセット２から繰り出されたカードＳは、反転部４内に一旦装填される。反転部４が水平状態から９０度回転した後、送りローラ６によってカードＳが上昇すると、カードＳは磁気読み／書き部７内に送り込まれる。そして、この磁気読み／書き部７で、カードＳの磁気ストライプ内に所定の情報を書き込んだり、磁気ストライプ内の所定の情報を読み取る。
【００１３】
これに対して、送りローラ６によってカードＳが下降すると、カードＳは、非接触ＩＣ読み／書き部８内に送り込まれる。そして、この非接触ＩＣ読み／書き部８で、カードＳのＩＣ内に所定の情報を書き込んだり、ＩＣ内の所定の情報を読み取る。その後、反転部４から送り出されたカードＳは、着脱自在なクリーニングローラ１０を通過した後、ガイド溝１３で両側を支持されながら、搬送ローラ１１，フィードローラ１２によりカードＳは画像印刷される直前まで移動する。
【００１４】
なお、磁気検出や非接触ＩＣ検出が必要ない場合には、反転部４は水平に維持される。また、磁気読み／書き部７又は非接触ＩＣ読み／書き部８で不適切と判断されたカードＳは、反転部４の回転後、送りローラ６によってイジェクトボックス９内に排出される。
【００１５】
次に、カードＳへの画像転写を可能にするために、この熱転写印刷装置１は、フィルムＦに画像を熱転写する記録部（一次転写部）Ａと、フィルムＦに転写された画像とカードＳとを対向させて、カードＳに画像を熱転写する再転写部（二次転写部）Ｂと、画像転写後のカードＳの反りを矯正する反り矯正部Ｃとを備えている。
【００１６】
さらに、この熱転写印刷装置１は、抜き差しにより交換可能なフィルムカートリッジ１４とリボンカートリッジ１５とを有している。このフィルムカートリッジ１４では、フィルムＦが上下一対のボビン１６，１７に巻かれ、リボンカートリッジ１５では、カラーインクリボンＲが上下一対のボビン１８，１９に巻かれている。そして、リボンカートリッジ１５内のカラーインクリボンＲには、溶融性又は昇華性のイエロー・マゼンタ・シアンの３色（またはブラックを加えた４色）のインクを１フレームとして周期的にインクが塗布されている。
【００１７】
ここで、前述した記録部Ａでは、水平方向に進退可能なフィルム引出しローラ２０ａ，２０ｂとプラテンローラ(通称「プラテン」)２１の協働により、プラテンローラ２１の略半周にフィルムＦが巻き付けられ、サーマルヘッド２２によって、プラテンローラ２１上のフィルムＦにカラーインクリボンＲが押し当てられる。そして、フィルムＦとカラーインクリボンＲとを同期させながら下方に送ることで、加熱状態のサーマルヘッド２２によって、カラーインクリボンＲの第１色目（イエロー）がフィルムＦ上に熱転写される。このサーマルヘッド２２は、基板上の印画ラインに沿って微小発熱体が一次元的に配列された構造を有している。
【００１８】
次に、ラック・ピニオン駆動機構２３によってサーマルヘッド２２を後退させて、フィルムＦとカラーインクリボンＲとを離間させた状態で、プラテンローラ２１を逆転させながらフィルムＦを上昇させて元の位置に復帰させる。その後、前述の転写動作を繰り返しながら、フィルムＦ上にマゼンタ、シアン、ブラックの順に色を重層させて、所望のカラー画像をフィルムＦ上に作り出した後、このカラー画像をカードＳ上に定着させるためのプライマー（接着層）を、カラー画像上に熱転写する。
【００１９】
その後、巻取り側ボビン１７等の回転によってフィルムＦ上の記録画像をヒートローラ２４の手前まで移動させる。このとき、カードＳの先端は、フィルムＦ上の記録画像の先端と位置合わせされ、カードＳとフィルムＦとは、重ね合わされた状態で再転写部Ｂに送り込まれる。
【００２０】
この再転写部Ｂにおいて、位置合わせされたカードＳとフィルムＦとは、重ね合わされた状態でヒートローラ２４と押圧ローラ２５とで挟み込まれ、１６０〜２００°Ｃに加熱されたヒートローラ２４と押圧ローラ２５との協働により、カードＳとフィルムＦとを加圧搬送させながら、フィルムＦ上の記録画像をカードＳの表面に徐々に転写させる。このとき、カードＳ表面に圧着されたフィルムＦは、後述する剥離処理によってカードＳから剥離される。また、ヒートローラ２４によって加熱されたカードＳには反りが発生するので、カードＳは、反り矯正部Ｃに送り込まれて加圧処理された後、真っ直ぐな状態で装置１外に排出される。
【００２１】
以下、図２を参照して、中間転写型熱転写印刷装置１における再転写部Ｂ周辺の構成について詳細に説明する。
【００２２】
再転写部Ｂには、カード搬送ラインＬ１に接するように押圧ローラ２５が固定され、その押圧ローラ２５の上方には、昇降自在なヒートローラ２４が配置されている。このような構成において、ヒートローラ２４を押圧ローラに向けて下降させると、押圧ローラ２５の周面上部の再転写位置２６において、カードＳにフィルムＦ上の画像が転写可能になる。
【００２３】
また、押圧ローラ２５上の再転写位置２６とカードＳの供給側に位置するガイド溝１３とを結ぶカード搬送ラインＬ１に沿ってカードＳを水平方向に搬送するためのフィードローラ１２，２７が、押圧ローラ２５の前後に回動自在に固定されている。これらのフィードローラ１２，２７の上方には、それぞれ、板バネによって各フィードローラ１２，２７の周面に向けて付勢された押圧ローラ１２ａ，２７ａが支持されている。さらに、カード搬送ラインＬ１上のフィードローラ１２，２７に隣接する位置には、それぞれ、カードＳの存在を検出するフォトセンサ２８，２９がカード搬送ラインＬ１を跨ぐように固定されている。
【００２４】
また、ヒートローラ２４と押圧ローラ２５との間において、カード搬送ラインＬ１の上方には、カード搬送ラインＬ１と並行してフィルム搬送ラインＬ２が位置するようにフィルムＦが張架されている。このフィルムＦは、ボビン１６，１７及びプラテンローラ２１（図１参照）の協働によってフィルム搬送ラインＬ２に沿って前進、後退される。さらに、ヒートローラ２４とプラテンローラ２１との間を通るフィルム搬送ラインＬ２の外側には、フィルムＦの幅に対応する長さを有する軸状の剥離ピン３０が、フィルムＦの面に平行に固定されている。この剥離ピン３０は、カード搬送ラインＬ１とフィルム搬送ラインＬ２との間であって、押圧ローラ２５とフィードローラ１２との間にくるように設置されている。なお、剥離ピン３０と押圧ローラ２５との距離は、カードＳに関するフィルム剥離処理（詳細は、後述する）前の冷却時間が確保されるように十分な距離が設定されることが好ましい。
【００２５】
次に、図３を参照して、カードＳからのフィルムＦの剥離処理を制御するモータ制御手段の構成について説明する。
【００２６】
モータ制御手段３１は、装置１内に内蔵され、ＣＰＵ（Central Processing Unit）、ＲＡＭ（Random Access Memory）等を有する中央処理部３２と、ＥＥＰＲＯＭ（Electrically Erasable Programmable ROM）、フラッシュＲＯＭ等のデータ書き換え可能なＲＯＭ（Read Only Memory）、又はＲＡＭによって構成されるメモリ部３３とを含んで構成されている。中央処理部３２は、メモリ部３３に格納されているプログラムコード及びデータを読み出すことにより、装置１全体の動作制御を行う。
【００２７】
また、中央処理部３２には、ステッピングモータＭ１〜Ｍ５が電気的に接続され、中央処理部３２は、ステッピングモータＭ１〜Ｍ５に制御パルス信号を送出することにより、各ステッピングモータＭ１〜Ｍ５の回転角度及び回転方向を制御する。ここで、ステッピングモータＭ１，Ｍ２は、ベルト、歯車等の駆動手段を介してフィードローラ１２，２７に連結されて、フィードローラ１２，２７を回転駆動させる。ステッピングモータＭ３は、プラテンローラ２１に連結されて、プラテンローラ２１を回転駆動させる。また、ステッピングモータＭ４，Ｍ５は、それぞれ、ボビン１７，１６を回転駆動させるためのモータである。
【００２８】
さらに、中央処理部３２には、フォトセンサ２８，２９が電気的に接続されており、中央処理部３２は、フォトセンサ２８，２９から送出される検出信号によりカードＳのカード搬送ラインＬ１上の位置を検出して、その位置に応じてステッピングモータＭ１〜Ｍ５の回転を制御する。
【００２９】
次に、このように構成された中間転写型熱転写印刷装置１の動作について、図４〜図１１を参照しながら説明する。図４に示した状態はフィルムＦからカードＳへの画像再転写前の待機状態であり、モータ制御手段３１の制御によるステッピングモータＭ１の正転によりフィードローラ１２が駆動されて、カードＳがカード搬送ラインＬ１の再転写位置２６の手前まで搬送されて停止された状態である。この状態において、フィルムＦの表面には、既に記録部Ａでカラー画像が熱転写されており、ヒートローラ２４は、このカラー画像のカードＳへの再転写のために上昇して待機している。
【００３０】
その後、画像の再転写段階になると、図５に示すように、モータ制御手段３１の制御によるステッピングモータＭ３，Ｍ４の正転によってプラテンローラ２１、及び巻き取り側ボビン１７が駆動され、フィルムＦにおける画像の前端が再転写位置２６の直前まで搬送され、フィルムＦ上の画像の前端とカードＳの前端との位置合わせが行われる。
【００３１】
次に、図６に示すように、ヒートローラ２４の下降によりフィルムＦがヒートローラ２４と押圧ローラ２５とで挟み込まれ、モータ制御手段３１の制御によるステッピングモータＭ１の正転によってフィードローラ１２が駆動され、カードＳは再転写位置２６を通過して前進し続ける。このようにして、カードＳは、ヒートローラ２４と押圧ローラ２５との間でフィルムＦに圧着された状態で搬送され、カードＳの前端から順次画像が熱転写され、フィルムＦとカードＳとは一体化した状態でカード搬送ラインＬ１を前方に移動する。このとき、モータ制御手段３１の制御によるステッピングモータＭ４の逆転によって巻取り側ボビン１７は、フィルムＦを巻取り側ボビン１７から再転写位置２６に向けて搬送し続ける。これにより、カードＳの前進時において、カードＳ表面にフィルムＦが貼り付けられた状態を維持する。
【００３２】
さらに、モータ制御手段３１の制御によるステッピングモータＭ２の正転によってフィードローラ２７を駆動させることにより、カードＳの更なる前進が維持される。このステッピングモータＭ２の正転は、カードＳの全面が再転写位置２６を通過してカードＳの全面に完全に画像が再転写されるまで続けられる。その後、図７に示すように、ヒートローラ２４を上昇させて再転写処理を終了するとともに、ステッピングモータＭ４と巻取り側ボビン１７の間に配置されたクラッチ３４が解除され、巻取り側ボビン１７からフィルムＦの送り出しが可能になる。
【００３３】
その後、図８に示すように、モータ制御手段３１の制御によるステッピングモータＭ２の逆転によってフィードローラ２７が駆動され、カードＳの後端（図８におけるカードＳの右側）が剥離ピン３０の下方に向けてカード搬送ラインＬ１上を後退する。この際、カードＳの後端にフィルムＦの弛みが生じないように、モータ制御手段３１の制御によってステッピングモータＭ３，Ｍ５を逆転させることにより、フィルムＦは送出し側ボビン１６側に徐々に巻き取られる。このようなボビン１６側へのフィルムＦの巻き取りにより、カードＳ後退時における余剰なフィルムＦが巻き取られ、剥離処理の円滑化が図られている。
【００３４】
そして、図９に示すように、カードＳの後退によってカードＳの後端が剥離ピン３０の下方を通過する時、フィルムＦは、カードＳの後端から剥離ピン３０の周面に巻き付けられた状態で、プラテンローラ２１に向けて引っ張られる。このとき、フィルムＦにはカードＳの後端から上方に引き離すような力が作用し、カードＳ後端から前端に向けてフィルムＦが徐々に剥離される。この場合、モータ制御手段３１がステッピングモータＭ２，Ｍ３の回転速度を制御することによって、カードＳ及びフィルムＦの搬送速度が所望の範囲に維持され、カードＳの表面からのフィルムの巻き取り角度が適切な範囲に保たれる。
【００３５】
更に、上記の剥離処理の途中でカードＳの後端がフィードローラ１２に到達すると、図１０に示すように、ステッピングモータＭ１の逆転により回転し続けるフィードローラ１２によって、カードＳからのフィルムＦの剥離処理が継続される。その後、図１１に示すように、カードＳからフィルムＦが完全に剥離されるまでモータ制御手段３１がモータＭ１，Ｍ３，Ｍ５の回転を制御した後、カードＳが反転部４（図１参照）に向けて送り出され、この反転部４でカードＳの表裏が反転された後、再転写部ＢにおいてカードＳの裏面に画像が再転写される。なお、カードＳの両面印刷が必要ない場合には、カードＳからフィルムＦが完全に剥離された後、フィードローラ１２，２７を駆動させて、カード搬送ラインＬ１及び反り矯正部Ｃ（図１参照）を経由してカードＳを外部に排出するように動作してもよい。
【００３６】
以上説明した中間転写型熱転写印刷装置１においては、ステッピングモータＭ３の回転によりプラテンローラ２１が駆動され、フィルムＦは、そのプラテンローラ２１の周面に一部が巻き付けられた状態で搬送される。さらに、ステッピングモータＭ１，Ｍ２の回転によりフィードローラ１２，２７が駆動されて、カードＳは、カード搬送ラインＬ１上で搬送される。この場合、モータ制御手段３１によって、ステッピングモータＭ１，Ｍ２を順次正転させ、カードＳを再転写位置２６に向けて前進させながらフィルムＦ上の画像をカードＳに再転写する。その後、モータ制御手段３１によって、媒体搬送用モータＭ２，Ｍ１を順次逆転させ、カードＳを後退させる際に、ステッピングモータＭ３を回転させる。このとき、フィルム搬送ラインＬ２の外側に設けられた剥離ピン３０からプラテンローラ２１に向けてフィルムＦが巻き戻されるので、カードＳの後端からフィルムＦを引き剥がすことができる。このように、カードＳは、画像再転写時に前進し、フィルムＦの剥離時に後退するので、画像再転写後からフィルムＦの剥離までのカードＳの搬送距離が長くなり、このことは、カードＳの移動に伴う冷却時間を長くする効果をもたらす。それによって、カードＳの十分な冷却が確保され、フィルム剥離時における転写画像の欠けやバリを防止する。従って、カード搬送ライン上でのカードの前進と後退とを利用しているので、簡易な構成によって欠けやバリの無い画像印刷を実現することができる。
【００３７】
また、プラテンローラ２１及びフィードローラ１２，２７の駆動手段としてステッピングモータを採用することにより、回転速度及び回転角度の精度が向上し、カードＳからのフィルムＦの巻き取り角度を所望の範囲に維持することができ、カードＳに転写される画像の欠けやバリをより効果的に防止することができる。
【００３８】
また、モータ制御手段３１は、カードＳの１回の往復運動で再転写及びフィルム剥離が完了するので、カード毎の処理を効率的に実施できる。特に、カードＳ両面への転写処理を行う必要がある場合には、カード搬送ラインＬ１上において前方の再転写部Ｂと後方の反転部４との間の往復運動が必須となり、カードの往復運動に併せてフィルム剥離を実施することができるので有利である。
【００３９】
なお、本発明は、前述した実施形態に限定されるものではない。例えば、フィードローラ１２，２７及びプラテンローラ２１の駆動手段としては、ステッピングモータに限られるものではなく、直流モータ等の他の電動モータを用いてもよい。
【図面の簡単な説明】
【００４０】
【図１】本発明に係る中間転写型熱転写印刷装置の一実施形態を示す正面図である。
【図２】図１の熱転写印刷装置における再転写部周辺の構成を示す正面図である。
【図３】図１の熱転写印刷装置におけるモータ制御手段を示す概略構成図である。
【図４】記録媒体であるカードが再転写位置直前まで搬送された状態を示す概略図である。
【図５】フィルムの前端が再転写位置まで搬送された状態を示す概略図である。
【図６】再転写処理が開始された状態を示す概略図である。
【図７】再転写処理が終了した状態を示す概略図である。
【図８】カードがフィルムと一緒に後退する状態を示す概略図である。
【図９】カードからのフィルムの剥離処理が開始された状態を示す概略図である。
【図１０】カードからのフィルムの剥離処理が継続されている状態を示す概略図である。
【図１１】カードからのフィルムの剥離処理の終了後にカードが搬送されている状態を示す概略図である。
【符号の説明】
【００４１】
１…中間転写型熱転写印刷装置、１２，２７…フィードローラ、２１…プラテンローラ、２４…ヒートローラ、２６…再転写位置、３０…剥離ピン、３１…モータ制御手段、Ｆ…フィルム、Ｌ１…カード搬送ライン（媒体搬送ライン）、Ｌ２…フィルム搬送ライン、Ｍ１，Ｍ２…ステッピングモータ（媒体搬送用モータ）、Ｍ３…ステッピングモータ（フィルム搬送用モータ）、Ｒ…カラーインクリボン、Ｓ…カード（記録媒体）。  
【図１】
2006225154.tif 000003
【図２】
2006225154.tif 000004
【図３】
2006225154.tif 000005
【図４】
2006225154.tif 000006
【図５】
2006225154.tif 000007
【図６】
2006225154.tif 000008
【図７】
2006225154.tif 000009
【図８】
2006225154.tif 000010
【図９】
2006225154.tif 000011
【図１０】
2006225154.tif 000012
【図１１】
2006225154.tif 000013